(57)【要約】    【課題】  電気掃除機において、隙間ノズル等吸込口体の使い勝手を損なうことなく、この吸込口体が容易に脱落するのを防止する。    【解決手段】  隙間ノズル８０（吸込口体）に形成された２本の係合アーム８１，８１は、この隙間ノズル８０の管部８０ａの軸方向に沿って、かつ互いに略平行に延びて形成され、これら２本の係合アーム８１，８１にはそれぞれ、両係合アーム８１，８１の互いに対向する方向に突出した突起８６，８６が形成され、一方、手元操作部５０（被接続部）の支持脚５４には、手元操作部５０の管部５２の軸方向に沿って延び、各係合アーム８１，８１の突起８６，８６がそれぞれ係合する２本の案内溝５７，５７が形成されている。【選択図】            図３
2006068034.tif 000002
【特許請求の範囲】
【請求項１】
塵埃を吸い込む接続管が接続される被接続部の外周面から突出した支持脚と、前記被接続部に連結される吸込口体の外周面から突出した係合アームとが互いに係合して、前記吸込口体が前記被接続部に対して摺動および回転可能に支持された電気掃除機において、
前記係合アームは、互いに略平行に延びた２本の係合アームからなり、これら２本の係合アームにはそれぞれ、両係合アームの互いに対向する方向に突出した突起が形成され、
前記支持脚には、前記各係合アームの各突起がそれぞれ係合する２本の案内溝が形成され、前記案内溝を形成する側壁のうち該案内溝の長手方向の略中央に、前記突起を前記案内溝に着脱させる切欠きが形成されていることを特徴とする電気掃除機。
【請求項２】
前記切欠きが、前記突起が前記案内溝に係合して摺動する方向とは異なる方向に延びて形成されたことを特徴とする請求項１に記載の電気掃除機。
【請求項３】
前記切欠きは、その輪郭縁が前記側壁の上縁よりも低い位置となるように形成されていることを特徴とする請求項２に記載の電気掃除機。
【発明の詳細な説明】
【技術分野】
【０００１】
本発明は電気掃除機に関し、詳細には吸込口体の支持構造の改良に関する。
【背景技術】
【０００２】
従来より、一般的な家庭用の電気掃除機には、通常の床用の吸込口体の他に、隙間等の狭い領域にピンポイントで挿し入れるための吸込口体としての隙間ノズルが備えられている。
【０００３】
電気掃除機は、内部に集塵部および電動送風機を備えた掃除機本体と、集塵部に連通する可撓性のホースと、このホースの他端側に接続された手元操作部と、手元操作部に嵌合連結された延長管と、延長管の他端側に接続された床用の吸込口体とを備え、隙間ノズルは、手元操作部に支持係止され、延長管と交換して手元操作部に嵌合連結されて使用される（特許文献１）。
【０００４】
また、例えば図７に示すように、隙間ノズル１８０が、手元操作部１５０の管部１５２の外周面に、回動およびスライド可能に支持されており、実線で示した支持係止状態から、スライドおよび回動して、二点鎖線で示すように手元操作部１５０に嵌合して連結されるものが知られている。なお、図７において隙間ノズル１８０の符号１８１は係合アームであり、手元操作部１５０の符号１５１はグリップ、符号１５４は係合アーム１８１を支持する支持脚、符号１５３は支持された隙間ノズル１８０の被係止部１８２を手元操作部１５０の外周面に係止する係止突起である。
【０００５】
図８，９は、この隙間ノズル１８０を支持する構造の詳細を説明するための斜視図および要部断面図等である。
【０００６】
手元操作部１５０に形成された支持脚１５４には、その幅方向に突出する一対の突起１５５，１５５が形成されており、一方、隙間ノズル１８０に形成された一対の係合アーム１８１，１８１にはそれぞれ、隙間ノズル１８０の軸方向に延びる長孔１８３，１８３が形成されている。そして、一対の係合アーム１８１，１８１が支持脚１５４をその幅方向から挟むようにして、支持脚１５４の各突起１５５，１５５が係合アーム１８１，１８１の長孔１８３，１８３に突入した支持状態となっている。
【０００７】
ここで、両突起１５５，１５５の先端間の幅ｄ１（図９（ｂ））は、両係合アーム１８１，１８１の対向面間の隙間幅ｄ２（図９（ｃ））よりも大きいため、両係合アーム１８１，１８１間の隙間幅が拡げられない限り、すなわち各係合アーム１８１，１８１が図９（ｃ）の太黒矢印方向に撓まされない限り、突起１５５，１５５は長孔１８３，１８３から抜けることはなく、したがって、隙間ノズル１８０は支持脚１５４に支持される。
【０００８】
このとき、突起１５５，１５５は長孔１８３，１８３の長さ範囲で相対的に摺動可能であり、しかも突起１５５，１５５は長孔１８３，１８３に突入した状態で相対的に回動可能であるため、隙間ノズル１８０は手元操作部１５０に対してスライドおよび回動可能に支持される。
【０００９】
ところで、隙間ノズル１８０は、必要に応じて、この手元操作部１５０から取り外すことができるのが好ましい。すなわち、隙間ノズル１８０は、手元操作部１５０に直接連結して使用されるだけでなく、吸込口体１３０と交換されて延長管１４０の先端にも連結できるようにすれば、延長管を使用しなければ届かないような場所に対しても隙間ノズル１８０を使用した掃除を行うことができ、利便性を高めることができる。
【００１０】
このため、図示の隙間ノズル１８０も、手元操作部１５０に対して着脱可能とされている。すなわち、両係合アーム１８１，１８１間の対向面間の隙間幅が、長孔１８３，１８３の一方の端部側において突起１５５，１５５の先端間の幅ｄ１よりも広いｄ３（＞ｄ１＞ｄ２）となるように、係合アーム１８１，１８１はそれぞれ屈曲して形成されており、これにより、突起１５５，１５５が長孔１８３，１８３に突入している状態（支持状態）から、隙間ノズル１８０を図９（ｃ）に示す白抜き矢印方向にスライドさせると、両突起１５５，１５５が長孔１８３，１８３の一端部側に抜け、隙間ノズル１８０に対する支持脚１５４の支持力が失われて、隙間ノズル１８０は、手元操作部１５０から離脱される。
【００１１】
なお、隙間ノズル１８０が白抜き矢印方向にスライド可能なのは、隙間ノズル１８０が手元操作部１５０の管部１５２と略平行な姿勢とされている場合に限定されており、その他の姿勢のときは、隙間ノズル１８０をスライドさせても、隙間ノズル１８０の管部１８０ａが手元操作部１５０の管部１５２の外周面に突き当り、スライドさせることはできない。
【００１２】
そして、隙間ノズル１８０が手元操作部１５０の管部１５２と略平行な姿勢とされて、隙間ノズル１８０の回動により隙間ノズル１８０の被係止部１８２が係止突起１５３に係合されるため、隙間ノズル１８０は図７の実線で示す姿勢で、手元操作部１５０に支持係止される。
【００１３】
なお、両係合アーム１８１，１８１は、図９（ｃ）に示すように、スライド方向に沿った切欠き１８５が中央に形成された連結板１８４によって連結されており、この連結板１８４により、両係合アーム１８１，１８１が太黒矢印方向に過度に撓むのが防止され、この過度の撓みによって生じ得る長孔１８３からの突起１５５の脱落が防止されている（特許文献２等）。
【特許文献１】特許第３１８６０１７号
【特許文献２】特願２００３−４００４９１号（未公開）
【発明の開示】
【発明が解決しようとする課題】
【００１４】
ところで、隙間ノズル１８０は、不使用時には図７の実線で示すように手元操作部１５０に支持係止されているが、掃除機の使用中、すなわちグリップ１５１を把持して床用の吸込口体１３０を床面等に沿って摺動操作しているとき、使用者は、手元ではなく吸込口体１３０の動きに注目しているため、手元操作部１５０を壁や棚その他の設置物等に不用意に接触させる場合がある。
【００１５】
そして、その接触によって設置物等から受けた荷重が、手元操作部１５０に支持係止されている隙間ノズル１８０に対して、手元操作部１５０の管部１５２と略平行な方向すなわち図９（ｃ）の白抜き矢印方向に作用すると、隙間ノズル１８０の長孔１８３，１８３の一端部側で手元操作部１５０の突起１５５，１５５との係合が解除される構成であるため、隙間ノズル１８０がスライドして長孔１８３，１８３の長手方向に抜けてしまうなど、手元操作部１５０から容易に脱落してしまう場合がある。
【００１６】
そのような場合、隙間ノズル１８０が衝突した相手物が破損したり、あるいは隙間ノズル１８０自体も破損等する虞もある。
【００１７】
また、破損等しないまでも、使用者は掃除作業を中断して、脱落した隙間ノズル１８０を拾い上げ、これを手元操作部１５０に戻さなければならず、無駄な労力を費やすことになる。
【００１８】
なお、上述した問題は、隙間ノズル１８０が手元操作部１５０に支持係止されているものに限らず、延長管等他の部位（延長管やホース、あるいはハンディタイプの掃除機にあっては掃除機本体等）に支持係止される場合にも同様に生じ得る。
【００１９】
すなわち、隙間ノズルが、例えば延長管の先端（床用の吸込口体との連結部分に近い側の端部）側に支持係止される場合には、手元操作部に支持係止されている場合よりも、使用者の注力が行き届くものの、実際に手で把持している手元（グリップ）から遠く離れた位置に支持されているため、隙間ノズルが他の設置物に接触しないように注意深く延長管の先端側の動きをコントロールするのは困難であり、慎重にコントロールしようとすれば掃除作業の効率が悪化する。したがって、使用者は、延長管の先端側を慎重に動かすとは限らず、不注意により隙間ノズルを他の設置物等に接触させて、隙間ノズルの脱落を招く虞がある。
【００２０】
本発明は上記事情に鑑みなされたものであり、隙間ノズル等吸込口体の使い勝手を損なうことなく、この吸込口体が容易に脱落するのを防止することができる電気掃除機を提供することを目的とするものである。
【課題を解決するための手段】
【００２１】
本発明に係る電気掃除機は、塵埃を吸い込む接続管が接続される被接続部の外周面から突出した支持脚と、前記被接続部に連結される吸込口体の外周面から突出した係合アームとが互いに係合して、前記吸込口体が前記被接続部に対して摺動および回転可能に支持された電気掃除機において、前記係合アームは、互いに略平行に延びた２本の係合アームからなり、これら２本の係合アームにはそれぞれ、両係合アームの互いに対向する方向に突出した突起が形成され、前記支持脚には、前記各係合アームの各突起がそれぞれ係合する２本の案内溝が形成され、前記案内溝を形成する側壁のうち該案内溝の長手方向の略中央に、前記突起を前記案内溝に着脱させる切欠きが形成されていることを特徴とする。
【００２２】
ここで、吸込口体には、交換用の吸込ノズルの他、床用の吸込口体も含む。また、接続管としては、延長管や床用の吸込口体なども適用され、被接続部としては、いわゆる手元操作スイッチやグリップを備えた手元操作部等の中間管や、吸込口体とこの中間管との間に設けられる延長管、ハンディタイプの掃除機にあっては掃除機本体なども適用される。
【００２３】
また、２本の案内溝は、２つの係合アームの各突起にそれぞれ対応して形成されており、かつ底部を共有して略平行に形成されているため、この底部が除去されて、２本の案内溝が互いに貫通した単一の長孔として形成されていてもよい。
【発明の効果】
【００２４】
本発明に係る電気掃除機によれば、案内溝は、その全長に亘って突起の抜出しを規制するため、突起が案内溝から抜け出すことがなく、したがって、隙間ノズルが被接続部から容易に脱落するのを防止することができる。
【００２５】
なお、両係合アームにそれぞれ、これら両係合アーム間の間隔を拡げるように弾性変形させる荷重を作用させることにより、両係合アームに形成された各突起を案内溝から引き抜くことができ、これにより、隙間ノズルを被接続部に着脱させることができる。
【００２６】
特に、各突起を、案内溝を形成する側壁の切欠きを通過させることによって、着脱を容易にすることができる。
【００２７】
また、突起は案内溝に沿って摺動可能であるため、隙間ノズルを被接続部に対して従来と同様に摺動させることができ、また、突起が案内溝に突入した状態で２つの突起を結ぶ軸線回りに、隙間ノズルを被接続部に対して従来と同様に回動させることができる。したがって、従来と同様の使い勝手を確保することができる。
【発明を実施するための最良の形態】
【００２８】
以下、本発明の電気掃除機に係る最良の実施形態について、図面を参照して説明する。図１は、本発明の実施形態に係る電気掃除機１０の概略構成を示す斜視図であり、図示の電気掃除機１０は、内部に集塵部２１および電動送風機２２を備えた掃除機本体２０と、本体２０から延び、図示しない商用電源に接続されて電動送風機２２に電力を供給する電源コード２３と、集塵部２１に連通する可撓性のホース６０と、このホース６０の他端側に接続された手元操作部５０（被接続部）と、手元操作部５０に嵌合連結された延長管４０（接続管）と、延長管４０の他端側に接続された床用の吸込口体３０と、手元操作部５０に支持係止され、延長管４０と交換して手元操作部５０に嵌合連結されて使用される隙間ノズル８０（吸込口体）とを備えた構成である。
【００２９】
ここで、隙間ノズル８０は、手元操作部５０を斜め下方から視た図２に示すように、手元操作部５０の管部５２の外周面に、回動およびスライド可能に支持されており、同図（ａ）に示した支持係止状態から、スライドおよび回動して同図（ｂ）に示すように延長管４０に嵌合連結された使用状態に移行し、また、使用状態から支持係止状態に移行する。
【００３０】
なお、図２において隙間ノズル８０の符号８１，８１は係合アーム、符号８２は被係止部、符号８０ａは管部であり、手元操作部５０の符号５１はグリップ、符号５４は係合アーム８１を支持する支持脚、符号５３は支持された隙間ノズル８０の被係止部８２を手元操作部５０の外周面に係止する係止突起である。
【００３１】
ここで、隙間ノズル８０に形成された２本の係合アーム８１，８１は、図３（ｂ）に示すように、この隙間ノズル８０の管部８０ａの軸方向に沿って、かつ互いに略平行に延びて形成され、これら２本の係合アーム８１，８１にはそれぞれ、両係合アーム８１，８１の互いに対向する方向に突出した突起８６，８６が形成されている。
【００３２】
なお、各係合アーム８１の突起８６の際（きわ）には、半円形状の切欠き８７が形成されている。また、両係合アーム８１，８１の根元部分は、連結板８４によって互いに連結されている。
【００３３】
一方、支持脚５４には、図３（ａ）に示すように、手元操作部５０の管部５２の軸方向に沿って延び、各係合アーム８１，８１の突起８６，８６がそれぞれ突入する２本の案内溝５７，５７が形成されている。
【００３４】
また、案内溝５７，５７を構成する側壁の一部には、切欠き５８，５８が形成されている。この切欠き５８，５８はそれぞれ、図４（ａ）に示すように、案内溝５７，５７に対して管部５２から遠い側の側壁であって、案内溝５７の長手方向に関して略中央部分に形成されている。
【００３５】
支持脚５４の厚さｄ４は、詳しくは同図（ｂ）の断面図に示すように、２本の係合アーム８１，８１の対向面間の間隔ｄ９（図４（ｃ）参照）よりも幅狭に形成され、両案内溝５７，５７の底面間の間隔ｄ５は、この案内溝５７，５７に突入する突起８６，８６の先端間の間隔ｄ８よりも短く形成されている。
【００３６】
さらに切欠き５８、５８の縁部間の長さの最短距離ｄ６は、底面間の間隔ｄ５よりも長いが、支持脚５４の厚さｄ４よりも短い。すなわち、案内溝５７の底面から切欠き５８の縁部までの高さ（＝（ｄ６−ｄ５）／２＞０）は、案内溝５７の底面から支持脚の厚さ方向縁部までの高さ（＝（ｄ４−ｄ５）／２）よりも低い（切欠き５８の輪郭縁が案内溝５７の側壁の上縁よりも低い）。
【００３７】
そして、隙間ノズル８０の２本の係合アーム８１，８１が、手元操作部５０の支持脚５４を幅方向に挟むように、係合アーム８１，８１の突起８６，８６が対応する案内溝５７，５７にそれぞれ突入して、手元操作部５０の支持脚５４と隙間ノズル８０の係合アーム８１，８１とが互いに係合し、突起８６，８６が案内溝５７，５７に沿って摺動することにより、隙間ノズル８０は手元操作部５０に対して摺動可能とされ、また、突起８６，８６が案内溝５７，５７に対して、両突起８６，８６を結ぶ軸線回りに回動することにより、隙間ノズル８０は手元操作部５０に対して回転可能とされている。
【００３８】
次に、本実施形態に係る電気掃除機１０の作用、特に、隙間ノズル８０と手元操作部５０との支持係止作用について、案内溝５７の側壁断面を含む要部断面図である図５，６を用いて、以下に説明する。
【００３９】
まず、図５（ａ）に示すのは、隙間ノズル８０の支持係止状態である。この支持係止状態は、係合アーム８１，８１の突起８６，８６が案内溝５７，５７に係合して、隙間ノズル８０は手元操作部５０に支持されている。
【００４０】
このとき、突起８６，８６は案内溝５７，５７の一方の端部近傍に位置し、隙間ノズル８０の被係止部８２が手元操作部５０の外周面の係止突起５３に係止され、これにより隙間ノズル８０が手元操作部５０に係止されている。なお、図５（ａ）においては、係止突起５３が単に被係止部８２を係止しているだけであるが、実際には、係止突起５３が隙間ノズル８０の吸込口の側壁内面間に嵌入して、係止突起５３の幅方向（紙面に直交する方向）側面と吸込口の側壁内面との間に生じる摩擦力も、係止力として作用している。
【００４１】
次に、係合アーム８１，８１の突起８６，８６を案内溝５７，５７の他端側に移動させるように隙間ノズル８０をスライドさせることにより、被係止部８２と係止突起５３との係止が解除される（図５（ｂ））。
【００４２】
ここで、両突起８６，８６を結ぶ軸線回りに隙間ノズル８０を時計回りに回転させ（図６（ａ））、隙間ノズル８０の中心線と手元操作部５０の中心線とを一致させ（同図（ｂ））、突起８６，８６を案内溝５７，５７の一方の端部側に移動させるように隙間ノズル８０をスライドさせることにより、隙間ノズル８０の管部８０ａが隙間ノズル５０の管部５２に嵌入し（図６（ｃ））、隙間ノズル８０は手元操作部５０に嵌合連結された使用状態となる。
【００４３】
上述した説明は、支持係止状態から使用状態への移行作用であるが、使用状態から支持係止状態への移行作用は、上述した作用を時系列的に反転することによりなされる。
【００４４】
以上の通り、上述した実施形態の電気掃除機１０は、突起８６，８６が案内溝５７，５７に沿って、すなわち手元操作部５０の管部５２の軸方向に沿って摺動可能であるため、隙間ノズル８０を手元操作部５０に対して従来と同様に摺動させることができ、また、突起８６，８６が案内溝５７，５７に突入した状態で２つの突起８６，８６を結ぶ軸線回りに、隙間ノズル８０を手元操作部５０に対して従来と同様に回動させることができる。したがって、従来と同様の使い勝手を確保することができる。
【００４５】
ここで、案内溝５７，５７は、その全長に亘って、突起８６，８６の先端間の間隔ｄ８よりも高い（ｄ６，ｄ４＞ｄ８）側壁に囲まれているため、突起８６，８６が案内溝５７，５７から抜け出すことがなく、したがって、隙間ノズル８０が手元操作部５０から不用意に脱落するのを防止することができる。
【００４６】
なお、両係合アーム８１，８１にそれぞれ、これら両係合アーム８１，８１間の間隔ｄ９を拡げるように弾性変形させる荷重を作用させる（図４（ｃ）において太黒矢印で示す方向に作用させる）ことにより、両係合アーム８１，８１に形成された突起８６，８６の先端間の間隔ｄ８を、案内溝５７，５７の側壁上縁間の間隔ｄ４よりも拡げることができ、この荷重を作用させる操作を意図して行うことにより、突起８６，８６を案内溝５７，５７から引き抜くことができ、隙間ノズル８０を手元操作部５０に着脱させることが可能となっている。
【００４７】
ここで、両係合アーム８１，８１は根元部分において連結板８４により連結されているが、突起８６，８６は、連結板８４により連結されている部分から遠く離れた位置に形成されているため、係合アーム８１，８１の弾性変形による撓み量を大きく確保することができる。
【００４８】
また、案内溝５７，５７を形成する側壁の一部には、切欠き５８，５８が形成され、案内溝５７，５７の底面から切欠き５８，５８の縁部までの高さ（＝（ｄ６−ｄ５）／２）は、案内溝５７の底面から支持脚の厚さ方向縁部までの高さ（＝（ｄ４−ｄ５）／２）よりも低いため、隙間ノズル８０を手元操作部５０に着脱させる操作の際に、係合アーム８１，８１の突起８６，８６を、この切欠き５８，５８を通過させるように係合アーム８１，８１を弾性変形させることにより、案内溝５７，５７の輪郭縁を乗り越えさせるために要する弾性変形量よりも変形量を小さく抑制することができ、隙間ノズル８０を手元操作部５０に着脱操作する際の労力を軽減させることができる。
【００４９】
また、切欠き５８，５８は、その輪郭縁が案内溝５７，５７の底面よりも高い位置となるように、底面と段差を以て形成されているため、係合アーム８１，８１を弾性変形させることなく、突起８６，８６が切欠き５８，５８を通過することはなく、したがって、隙間ノズル８０が手元操作部５０から不用意に脱落することはない。
【００５０】
また、本実施形態の電気掃除機１０は、切欠き５８，５８が、案内溝５７，５７の長手方向に関して略中央部分に形成されているため連結操作を行う一端部側と係止操作を行う他端部側とからそれぞれ離れており、隙間ノズル８０の脱落を防止する可能性をより一層低下させている。
【００５１】
すなわち、案内溝５７，５７の長手方向の両端部間の長さは、係合アーム８１，８１の摺動ストロークを規定するが、隙間ノズル８０を、手元操作部５０に係止された状態から連結させる操作において、あるいは隙間ノズル８０を、手元操作部５０に連結された状態から係止させる操作において、係合アーム８１，８１はこのストロークの略全長に亘って摺動するが、ここでは、摺動という単一の操作は前記２つの状態を切り換えるための係合アーム８１，８１の移動手段としての意味合いを持つため、係合アーム８１，８１をストロークの略中央で停止させることはない。
【００５２】
つまり、係合アーム８１，８１をストロークの略中央で停止させるには、その略中央で停止させるという積極的な意図を以て操作する必要がある。
【００５３】
この点、係合アーム８１，８１の突起８６，８６を案内溝５７，５７から引き抜くための切欠き５８，５８は、ストロークの略中央に形成されているため、この切欠きを５８，５８を通じて突起８６，８６を案内溝５７，５７から引き抜く意図を以た操作を行わない限り、単に連結操作または係止操作を行うだけでは、隙間ノズル８０が手元操作部５０から脱落することはない。
【００５４】
したがって、隙間ノズル８０を脱着操作することを意図しない連結操作や係止操作によって、隙間ノズル８０の脱落を招く可能性を一層低下させることができる。
【００５５】
また、案内溝５７に形成された切欠き５８は、突起８６が案内溝５７に係合して摺動する方向とは異なる方向に延びて形成されているため、突起８６の摺動のみによって、突起８６が案内溝５７から不用意に離脱するのを防止することができる。
【００５６】
なお、本実施形態に係る電気掃除機１０は、支持脚５４に形成された２つの案内溝５７，５７はいずれも底面を有するものであるが、これら２つの案内溝５７，５７は、２つの係合アーム８１，８１の各突起８６，８６にそれぞれ対応して形成されており、かつ底部を共有して略平行に形成されているため、この底部が除去されて、２つの案内溝５７，５７が互いに貫通した単一の長孔として形成されていてもよい。
【００５７】
また、支持脚５４を設ける部位すなわち隙間ノズル８０を支持係止する部位としては、上記実施形態のように手元操作部５０に限定されるものではなく、例えば、延長管４０（この場合の延長管は、被接続部としての延長管である。）に設けてもよいし、ハンディタイプの掃除機にあっては掃除機の本体部（被接続部として）に設けてもよい。
【００５８】
さらに、吸込口体としては、上述した交換用の吸込口体である隙間ノズルの他、床用の吸込口体やブラシ毛を有した付属ブラシ等を適用することもできる。また、隙間ノズルもブラシ毛を有するものであってもよい。
【図面の簡単な説明】
【００５９】
【図１】本発明に係る一実施形態の電気掃除機を示す概略外観斜視図である。
【図２】図１に示した電気掃除機の手元操作部に隙間ノズルが支持係止された状態および連結された状態を示す概略側面図である。
【図３】（ａ）は手元操作部を示す要部斜視図であり、（ｂ）は隙間ノズルを示す要部斜視図である。
【図４】手元操作部と隙間ノズルとの支持係止の詳細構造を説明する図であり、（ａ）は手元操作部の支持脚の側面図、（ｂ）は（ａ）におけるＡ−Ａ線に沿った断面を示す断面図、（ｃ）は隙間ノズルの係合アームの屈曲形状を示す平面図である。
【図５】支持係止状態から連結状態（使用状態）への移行を示す要部断面図（その１）である。
【図６】支持係止状態から連結状態（使用状態）への移行を示す要部断面図（その２）である。
【図７】従来の電気掃除機の手元操作部に隙間ノズルが支持係止された状態および連結された状態を示す概略側面図である。
【図８】（ａ）は手元操作部を示す要部斜視図であり、（ｂ）は隙間ノズルを示す要部斜視図である。
【図９】手元操作部と隙間ノズルとの支持係止の詳細構造を説明する図であり、（ａ）は手元操作部の支持脚の側面図、（ｂ）は（ａ）におけるＡ−Ａ線に沿った断面を示す断面図、（ｃ）は隙間ノズルの係合アームの屈曲形状を示す平面図である。
【符号の説明】
【００６０】
１０    電気掃除機
４０    延長管（接続管）
５０    手元操作部（被接続部）
５４    支持脚
５７    案内溝
５８    切欠き
８０    隙間ノズル（吸込口体）
８１    係合アーム
８６    突起
【図１】
2006068034.tif 000003
【図２】
2006068034.tif 000004
【図３】
2006068034.tif 000005
【図４】
2006068034.tif 000006
【図５】
2006068034.tif 000007
【図６】
2006068034.tif 000008
【図７】
2006068034.tif 000009
【図８】
2006068034.tif 000010
【図９】
2006068034.tif 000011